(57)【要約】【課題】牽引動力車の前進動作、後退動作にかかわらず、所定のルート上を走行することが可能な牽引台車を提供する。【解決手段】走行用の動力を有する牽引動力車によって牽引される走行用の動力を有しない牽引台車１０であって、車体１２の前側１２ｆと後側１２ｒにそれぞれ取り付けられた車輪１４と、各車輪１４の近傍にそれぞれ取り付けられ、床面１に設けられた誘導線２を検知する誘導線センサー２０と、各車輪１４をそれぞれ操舵するための駆動手段１６と、誘導線センサー２０の検知に基づいて駆動手段１６を駆動して車輪１４を操舵制御する自動操舵機構２２とを備えるようにした。【選択図】図１
2015048033.tif 000002
【特許請求の範囲】
【請求項１】
走行用の動力を有する牽引動力車によって牽引される走行用の動力を有しない牽引台車であって、
車体の前側と後側にそれぞれ取り付けられた車輪と、前記各車輪の近傍にそれぞれ取り付けられ、床面に設けられた誘導線を検知する誘導線センサーと、前記各車輪をそれぞれ操舵するための駆動手段と、前記誘導線センサーの検知に基づいて前記駆動手段を駆動して前記車輪を操舵制御する自動操舵機構とを備えることを特徴とする牽引台車。
【請求項２】
前記牽引動力車を前記誘導線に沿って走行するように構成し、
前記牽引動力車の前進動作および後退動作のいずれの場合でも、前記牽引動力車と同じ軌跡を通過可能に構成したことを特徴とする請求項１に記載の牽引台車。
【発明の詳細な説明】
【技術分野】
【０００１】
本発明は、荷物や部品などの運搬等に用いられ、単数の状態または複数台が連結された状態で牽引される牽引台車に関するものである。
【背景技術】
【０００２】
従来、荷物の集配センターや工場等の生産現場等では、牽引先頭車（牽引動力車）に連結された単数または複数の牽引台車に部品や荷物等を載せて運搬しており、各牽引台車は、牽引先頭車の走行軌跡に沿うように牽引される。一般的な牽引台車の車輪の構成では四隅にキャスターが設けられており、前側左右には車輪の方向が任意の方向に旋回可能な自在キャスターが、後側左右には車輪の方向が前後に固定された固定キャスターが設けられている。
【０００３】
一方、構内トレーラーなどで用いられる牽引台車として、機械的リンク機構によって四隅の車輪を操舵するようにした四輪操舵台車が知られている（例えば、非特許文献１を参照）。この四輪操舵台車は、牽引先頭車とほぼ同一軌跡を通過することができるため、工場、空港などで大量の荷物を一度に搬送する際に、複数台を連結した状態で用いられている。しかし、この四輪操舵台車は前方の車両と同じ軌跡を通過するという性能を有するが、同一軌跡を描くのは前進動作の時に限られる。
【０００４】
他方、床面に敷設した磁気テープ等の誘導路に沿って無人状態で走行することにより、荷物等を自動搬送するようにした自動操舵機構を有する自動搬送台車が知られている（例えば、特許文献１、２を参照）。
【先行技術文献】
【非特許文献】
【０００５】
【非特許文献１】「構内トレーラー情報/大量・重量運搬に最適の４ＷＳ式台車など|中部産業」、［online］、［平成２５年８月１９日検索］、インターネット＜ＵＲＬ：http://www.chubu-sangyo.co.jp/toreraor/toreraor.htm＞
【特許文献】
【０００６】
【特許文献１】特開平１０−３９９２５号公報
【特許文献２】実開昭６０−７８６６３号公報
【発明の概要】
【発明が解決しようとする課題】
【０００７】
上述したように、上記の従来の四輪操舵台車は、前方の車両と同じ軌跡を通過するという性能を有するが、同一軌跡を描くのは前進動作の時に限られる。したがって、この四輪操舵台車を使用する場合には、前進動作を前提とするために搬送経路をループ状に計画する必要があるので、無駄なスペースを要してしまうという問題があった。
【０００８】
こうしたことから、前進動作の時には、前方の車両と同じ軌跡を通過する一方で、後退動作の時には、後方の車両と同じ軌跡を通過することができるような牽引台車、言い換えれば、牽引動力車の前進動作、後退動作にかかわらず、所定のルート上を走行することが可能な牽引台車の開発が求められていた。
【０００９】
本発明は、上記に鑑みてなされたものであって、牽引動力車の前進動作、後退動作にかかわらず、所定のルート上を走行することが可能な牽引台車を提供することを目的とする。
【課題を解決するための手段】
【００１０】
上記した課題を解決し、目的を達成するために、本発明に係る牽引台車は、走行用の動力を有する牽引動力車によって牽引される走行用の動力を有しない牽引台車であって、車体の前側と後側にそれぞれ取り付けられた車輪と、前記各車輪の近傍にそれぞれ取り付けられ、床面に設けられた誘導線を検知する誘導線センサーと、前記各車輪をそれぞれ操舵するための駆動手段と、前記誘導線センサーの検知に基づいて前記駆動手段を駆動して前記車輪を操舵制御する自動操舵機構とを備えることを特徴とする。
【００１１】
また、本発明に係る他の牽引台車は、上述した発明において、前記牽引動力車を前記誘導線に沿って走行するように構成し、前記牽引動力車の前進動作および後退動作のいずれの場合でも、前記牽引動力車と同じ軌跡を通過可能に構成したことを特徴とする。
【発明の効果】
【００１２】
本発明に係る牽引台車によれば、走行用の動力を有する牽引動力車によって牽引される走行用の動力を有しない牽引台車であって、車体の前側と後側にそれぞれ取り付けられた車輪と、前記各車輪の近傍にそれぞれ取り付けられ、床面に設けられた誘導線を検知する誘導線センサーと、前記各車輪をそれぞれ操舵するための駆動手段と、前記誘導線センサーの検知に基づいて前記駆動手段を駆動して前記車輪を操舵制御する自動操舵機構とを備えるので、牽引台車は前進の際も後退の際も、誘導線を検知しながら所定のルートに沿って通過することができるという効果を奏する。このため、牽引動力車の前進動作、後退動作にかかわらず、牽引台車は所定のルート上を走行することができる。特に、従来は後方の車両に追従することが困難であった後退動作においても、牽引台車は後方の車両と同じ軌跡を走行可能である。
【００１３】
また、走行ルートをループ状にする必要がなく、単線ルートの往復走行も可能となるので、最短ルート計画が可能となり、従来のようにスペースを無駄に占有するような事態も生じない。さらに、牽引動力車の前進動作、後退動作にかかわらず、牽引台車は所定のルート上を走行できるので、例えば鉄道の貨物基地のように、使用しない牽引台車を牽引動力車で待機エリアへ誘導することが可能である。
【図面の簡単な説明】
【００１４】
【図１】図１は、本発明に係る牽引台車の実施例を示す概略下面図である。
【図２】図２は、図１のＡ−Ａ線に沿った側断面図である。
【図３】図３は、図２のＢ−Ｂ線に沿った正面断面図である。
【図４】図４は、本発明に係る牽引台車を複数台連結して、牽引先頭車の動力で前進動作および後退動作を行う場合の例を示した概略平面図である。
【発明を実施するための形態】
【００１５】
以下に、本発明に係る牽引台車の実施の形態を図面に基づいて詳細に説明する。なお、この実施例によりこの発明が限定されるものではない。
【００１６】
図１、図２および図３に示すように、本発明に係る牽引台車１０は、走行用の動力を有する牽引動力車によって牽引される走行用の動力を有しない台車である。この牽引台車１０は、車体１２の左右方向中央の前側１２ｆと後側１２ｒとにそれぞれ取り付けられた左右２個の操舵輪１４（車輪）と、前側と後側の各操舵輪１４をそれぞれ操舵するための操舵用のモーター１６（駆動手段）とを備えている。モーター１６は車体１２の下面に取り付けた基台１８に懸垂状態に固定されている。
【００１７】
さらに、この牽引台車１０は、前後の各操舵輪１４の近傍においてそれぞれ前側と後側に取り付けられ、床面１に設けられた磁気テープ２（誘導線）からの発生磁気を検知する磁気センサー２０（誘導線センサー）と、前後の各操舵輪１４をそれぞれ操舵制御するための自動操舵機構２２とを備えている。磁気センサー２０は、各操舵輪１４の車輪支持部２４から前後に延びる支持部材２６の前端と後端とにおいて、下向きに取り付けてある。
【００１８】
自動操舵機構２２は、磁気センサー２０の検知に基づいてモーター１６を駆動して操舵輪１４を操舵制御するものであり、左右の操舵輪１４の回転軸を連結支持する正面視で逆Ｕ字状の車輪支持部２４の上面中央から鉛直上向きに立ち上がり、車体下面に回動自在に固定された操舵軸２８を有している。この操舵軸２８の軸線は左右の操舵輪１４の間の左右方向中央に位置している。
【００１９】
この操舵軸２８とモーター１６の出力軸は、図示しないプーリー、タイミングベルト、歯車などを介して連結されており、操舵輪１４はモーター１６による操舵軸２８の回動を介して車輪の方向を旋回して自動操舵されるようになっている。このようにして、自動操舵機構２２は、牽引台車１０の進行方向を操舵制御することができる。なお、車体下面のモーター１６近傍には、図示しない自動操舵機構２２の制御装置およびモーター１６用の電源バッテリーが固定されている。
【００２０】
また、この牽引台車１０は、車体の下面の四隅、すなわち車体の前側左右および後側左右に設けられたキャスター３０をさらに備えている。このキャスター３０は車輪の方向が任意の方向に旋回可能な自在キャスターとして構成され、車輪３２と車輪支持部３４と摺動部３６と基台３８とからなる。
【００２１】
上記の構成の動作および作用について説明する。ただし、以下の説明では、牽引台車１０は、操作者の図示しない開始ボタン入力操作によって始動され、その後、停止ボタンが入力操作されるまでは、自動操舵機構２２による自動操舵制御運転が行われるように制御装置のソフトウエアがあらかじめ組み立てられているものとする。
【００２２】
図４に示すように、牽引台車１０は、４台が連結具４０を介して直列に連結された状態で、本発明と同じく磁気センサー（不図示）を有し、磁気テープ２に沿って走行するように構成された牽引先頭車Ｖ（牽引動力車）によって牽引されている。各牽引台車１０の前後２台の自動操舵機構２２における磁気センサー１０のそれぞれが個別に磁気テープ２を検出するとともに、操舵輪１４を操舵している。
【００２３】
（前進動作の場合）
まず、牽引先頭車Ｖが前進方向Ｆに走行する前進動作の場合について説明する。
各牽引台車１０の前後２台の自動操舵機構２２は、磁気テープ２が発する磁力線の強さや向きを各操舵輪１４の前側（進行方向前側）に位置する磁気センサー２０が検出し、磁気テープ２の左端（または右端）の位置が磁気センサー２０の定位置となるように前後２台の各モーター１６を自動制御して前後２組の操舵輪１４を操舵しながら走行する。この場合、例えば、左右の操舵輪１４の間の中央部分に磁気テープ２が位置するように操舵輪１４を操舵するようにしてもよい。磁気センサー２０の検出信号は、それぞれ自動操舵機構２２の図示しない制御装置に入力されて演算処理される。この制御装置は、磁気センサー２０からの検出信号に基づいてモーター１６の駆動制御を行う。このようにして、牽引先頭車Ｖに牽引される各牽引台車１０は、磁気テープ２に沿う操舵を自動的に行う。
【００２４】
自動操舵機構２２の図示しない制御装置によって前後２台の自動操舵機構２２を同期制御すると、前後２組の操舵輪１４がそれぞれ磁気テープ２に沿うように自動操舵で走行するため、牽引台車１０の四隅の旋回自在なキャスター３０が強制操舵される。このため、牽引台車１０は直線走行はもちろん、コーナー部等の曲線走行においても磁気テープ２に沿って走行可能である。
【００２５】
（後退動作の場合）
次に、牽引先頭車Ｖが後退方向Ｒに走行する後退動作の場合について説明する。
各牽引台車１０の前後２台の自動操舵機構２２は、磁気テープ２が発する磁力線の強さや向きを各操舵輪１４の後側（進行方向前側）に位置する磁気センサー２０が検出する。上記の前進動作の場合と同様に、磁気テープ２の左端（または右端）の位置が磁気センサー２０の定位置となるように前後２台の各モーター１６を自動制御して前後２組の操舵輪１４を操舵しながら走行する。なお、磁気センサー２０、自動操舵機構２２の図示しない制御装置、モーター１６の動作および作用については、上記の前進動作の場合と同様である。
【００２６】
このように、本発明の牽引台車１０は、牽引先頭車Ｖの前進動作および後退動作のいずれの場合でも、磁気テープ２を検知しながら牽引先頭車Ｖと同じ軌跡を通過することができる。特に、従来は後方の車両に追従することが困難であった牽引先頭車Ｖの後退動作においても、本発明の牽引台車１０は後方の車両と同じ軌跡を走行可能である。
【００２７】
また、本発明によれば、走行ルートをループ状にする必要がなく、単線ルートの往復走行も可能となるので、最短ルート計画が可能となり、従来のようにスペースを無駄に占有するような事態も生じない。さらに、牽引先頭車Ｖの前進動作、後退動作にかかわらず、牽引台車１０は所定のルート上を走行できるので、例えば鉄道の貨物基地のように、使用しない牽引台車１０を牽引先頭車Ｖで待機エリアへ誘導することが可能である。
【００２８】
以上説明したように、本発明に係る牽引台車によれば、走行用の動力を有する牽引動力車によって牽引される走行用の動力を有しない牽引台車であって、車体の前側と後側にそれぞれ取り付けられた車輪と、前記各車輪の近傍にそれぞれ取り付けられ、床面に設けられた誘導線を検知する誘導線センサーと、前記各車輪をそれぞれ操舵するための駆動手段と、前記誘導線センサーの検知に基づいて前記駆動手段を駆動して前記車輪を操舵制御する自動操舵機構とを備えるので、牽引台車は前進の際も後退の際も、誘導線を検知しながら所定のルートに沿って通過することができる。このため、牽引動力車の前進動作、後退動作にかかわらず、牽引台車は所定のルート上を走行することができる。特に、従来は後方の車両に追従することが困難であった後退動作においても、牽引台車は後方の車両と同じ軌跡を走行可能である。
【００２９】
また、走行ルートをループ状にする必要がなく、単線ルートの往復走行も可能となるので、最短ルート計画が可能となり、従来のようにスペースを無駄に占有するような事態も生じない。さらに、牽引動力車の前進動作、後退動作にかかわらず、牽引台車は所定のルート上を走行できるので、例えば鉄道の貨物基地のように、使用しない牽引台車を牽引動力車で待機エリアへ誘導することが可能である。
【産業上の利用可能性】
【００３０】
以上のように、本発明に係る牽引台車は、荷物や部品などの運搬等に用いられ、単数の状態または複数台が連結された状態で牽引される牽引台車に有用であり、特に、牽引先頭車の前進動作、後退動作にかかわらず、所定のルート上を走行するのに適している。
【符号の説明】
【００３１】
１  床面
２  磁気テープ（誘導線）
１０  牽引台車
１２  車体
１２ｆ  前側
１２ｒ  後側
１４  操舵輪（車輪）
１６  モーター（駆動手段）
１８  基台
２０  磁気センサー（誘導線センサー）
２２  自動操舵機構
２４  車輪支持部
２６  支持部材
２８  操舵軸
３０  キャスター
３２  車輪
３４  車輪支持部
３６  摺動部
３８  基台
４０  連結具
Ｖ  牽引先頭車（牽引動力車）
Ｆ  前進方向
Ｒ  後退方向
【図１】
2015048033.tif 000003
【図２】
2015048033.tif 000004
【図３】
2015048033.tif 000005
【図４】
2015048033.tif 000006